(57)【要約】【課題】実際のゴルフコースのグリーンにおけるパッティングの練習に適したパッティング練習具を提供すること。【解決手段】  ゴルフボールの進行方向Ｘに延びて傾斜すると共に、底辺１ａ及び頂辺１ｂを有する傾斜面１と、傾斜面１の頂辺１ｂで進行方向Ｘと直交する直交方向Ｙに延びる溝部２と、を備え、溝部２は、その断面形状がゴルフボールの曲面に沿うように構成されると共に、嵌ったゴルフボールが直交方向Ｙに転がるように傾斜しており、練習時において、ゴルフボールは進行方向Ｘに転がって底辺１ａから傾斜面を上がり、ゴルフボールの速度が所定速度より遅いと、ゴルフボールは傾斜面１を下るか、又は、溝部２に嵌り、ゴルフボールの速度が所定速度より速いと、ゴルフボールは溝部２を越えて落下する。【選択図】図１
2016168242.tif 000002
【特許請求の範囲】
【請求項１】
ゴルフボールの進行方向に延びて傾斜すると共に、底辺及び頂辺を有する傾斜面と、
前記傾斜面の頂辺で前記進行方向と直交する直交方向に延びる溝部と、を備え、
前記溝部は、その断面形状が前記ゴルフボールの曲面に沿うように構成されると共に、嵌った前記ゴルフボールが前記直交方向に転がるように傾斜しており、
練習時において、前記ゴルフボールは前記進行方向に転がって前記底辺から前記傾斜面を上がり、
前記ゴルフボールの速度が所定速度より遅いと、前記ゴルフボールは、前記傾斜面を上がった後に、前記傾斜面を下るか、又は、前記溝部に嵌り、
前記ゴルフボールの速度が所定速度より速いと、前記ゴルフボールは、前記傾斜面を上がった後に、前記溝部を越えて落下する
ことを特徴とするパッティング練習具。
【請求項２】
前記溝部は、その平面形状が前記進行方向に突出するように、円弧状である
ことを特徴とする請求項１に記載のパッティング練習具。
【請求項３】
前記傾斜面は、その断面形状が、前記進行方向に延びる前記底辺及び頂辺の中心線に向けて窪んでいる
ことを特徴とする請求項１又は２に記載のパッティング練習具。
【請求項４】
前記傾斜面は、その断面形状が突出する突出部を備え、
前記突出部は、前記傾斜面の一部の領域に設けられており、
前記領域は、前記頂辺及び前記中心線の一部を含む
ことを特徴とする請求項３に記載のパッティング練習具。
【請求項５】
さらに、前記溝部の両端部に連結された一対のスロープ部を備え、
前記スロープ部は、前記進行方向に延びると共に、前記傾斜面の底辺の高さに向けて傾斜する
ことを特徴とする請求項１〜４に記載のパッティング練習具。
【請求項６】
さらに、前記傾斜面の頂辺と前記溝部との間に、平坦部を備える
ことを特徴とする請求項１〜５のいずれかに記載のパッティング練習具。
【発明の詳細な説明】
【技術分野】
【０００１】
本発明は、ゴルフのパッティングを練習するための器具に関する。
【背景技術】
【０００２】
特許文献１に、従来のパッティング器具が開示されている。このパッティング器具は、斜面を有するパターマット本体と、パターマット本体の斜面に形成されゴルフボールを入れるためのホールと、を備える。
【０００３】
また、特許文献２に、従来のパター練習台が開示されている。このパター練習台は、傾斜面と、平坦面にホールを画成するための第１ボール誘導凹部と、ホールを形成する二つの穴を有するホール板と、を備える。
【０００４】
上記の通り、従来のパッティング練習具は、ホールの前に傾斜面を有している。そのため、使用者は、傾斜面を考慮してパッティングする必要がある。しかし、実際のゴルフコースのグリーンには、ホールの前に傾斜面があるとは限らないので、従来のパッティング練習具は、実際のゴルフコースに適さない問題がある。
【０００５】
ところで、図４の通り、ゴルフボール１００がホール１０１の内側に向けて進行しても、その進行方向Ｘの速度が速いとき、ゴルフボール１００がホール１０１の外側に弾かれることがある。すなわち、進行方向Ｘに直交する直交方向Ｙで、かつ、ホール１０１の中心Ｏを通る直径方向Ｄで、ホール１０１の左右端１０１ａ，１０１ｂにゴルフボール１００（１００ａ，１００ｂ）の周面が通過する場合に、ゴルフボール１００の速度が所定速度Ｓ３より速いとき、ゴルフボール１００がホール１０１の外側に弾かれる。また、ホール１０１の中心Ｏにゴルフボール１００（１００ｃ）の中心が通過する場合に、ゴルフボール１００の速度が所定速度Ｓ４（Ｓ４＞Ｓ３）より速いとき、ゴルフボール１００がホール１０１の外側に弾かれる。従って、この点を考慮して、パッティングの練習をすることが好ましい。
【先行技術文献】
【特許文献】
【０００６】
【特許文献１】実開平５−１８５６４号公報
【特許文献２】特開２００７−１３０３４０号公報
【発明の概要】
【発明が解決しようとする課題】
【０００７】
そこで、本発明が解決しようとする課題は、上記の事情に鑑みて、実際のゴルフコースのグリーンにおけるパッティングの練習に適したパッティング練習具を提供することにある。
【課題を解決するための手段】
【０００８】
上記の課題を解決するため、本発明に係るパッティング練習具は、
ゴルフボールの進行方向に延びて傾斜すると共に、底辺及び頂辺を有する傾斜面と、
傾斜面の頂辺で進行方向と直交する直交方向に延びる溝部と、を備え、
溝部は、その断面形状がゴルフボールの曲面に沿うように構成されると共に、嵌ったゴルフボールが直交方向に転がるように傾斜しており、
練習時において、ゴルフボールは進行方向に転がって底辺から傾斜面を上がり、
ゴルフボールの速度が所定速度より遅いと、ゴルフボールは、傾斜面を上がった後に、傾斜面を下るか、又は、溝部に嵌り、
ゴルフボールの速度が所定速度より速いと、ゴルフボールは、傾斜面を上がった後に、溝部を越えて落下する。
【０００９】
好ましくは、
溝部は、その平面形状が進行方向に突出するように、円弧状である。
【００１０】
好ましくは、
傾斜面は、その断面形状が、進行方向に延びる底辺及び頂辺の中心線に向けて窪んでいる。
【００１１】
好ましくは、
傾斜面は、その断面形状が突出する突出部を備え、
突出部は、傾斜面の一部の領域に設けられており、
領域は、頂辺及び中心線の一部を含む。
【００１２】
好ましくは、
さらに、溝部の両端部に連結された一対のスロープ部を備え、
スロープ部は、進行方向に延びると共に、傾斜面の底辺の高さに向けて傾斜する。
【００１３】
好ましくは、
さらに、傾斜面の頂辺と溝部との間に、平坦部を備える。
【発明の効果】
【００１４】
本発明に係るパッティング練習具は、実際のゴルフコースのグリーンにおけるパッティングの練習に適するように構成されている。
【図面の簡単な説明】
【００１５】
【図１】本発明に係るパッティング練習具を示す斜視図。
【図２】パッティング練習具を示す平面図。
【図３】（Ａ）は図２のＡ−Ａ線断面図であり、（Ｂ）は図２のＢ−Ｂ線断面図。
【図４】ゴルフボールの速度とホールとの関係を説明するための平面図。
【発明を実施するための形態】
【００１６】
以下、図面に基づいて、本発明に係るパッティング練習具について説明する。
【００１７】
図１及び図２の通り、パッティング練習具は、傾斜面１を備える。傾斜面１は、ゴルフボール１００の進行方向Ｘに延びて傾斜すると共に、底辺１ａ及び頂辺１ｂを有する。パッティング練習具は、傾斜面１の頂辺１ｂで進行方向Ｘと直交する直交方向Ｙに延びる溝部２を備える。パッティング練習具は、傾斜面１と溝部２との間に、平坦部３を備える。
なお、直交方向とは、完全な直角方向に限定されない。
【００１８】
図３（Ａ）の通り、溝部２は、その断面形状がゴルフボール１００の曲面に沿うように構成される。溝部２は、傾斜面１に近い前辺２ａとその反対の後辺２ｂとを有する。溝部２の前辺２ａの高さは、高さ方向Ｚで傾斜面１の頂辺１ｂと同じであって、溝部２の後辺２ｂは、高さ方向Ｚで前辺２ａより高い。溝部２は、高さ方向Ｚで底端から後辺２ｂまで所定高さＨとなっている。
【００１９】
溝部２は、嵌ったゴルフボール１００が直交方向Ｙに転がるように、直交方向Ｙに傾斜している。図２の通り、溝部２は、その平面形状が進行方向Ｘに突出するように円弧状である。図１の通り、パッティング練習具は、溝部２の両端部に連結された一対のスロープ（点線）５，５を備える。スロープ５，５は、溝部２の高さから傾斜面１の底辺１ａの高さまで傾斜している。スロープ５は、平面視において進行方向Ｘに向けて延びるように湾曲している。従って、溝部２に嵌ったゴルフボール１００は、スロープ５を通じて転がって戻る。
【００２０】
図３（Ｂ）の通り、傾斜面１は、その断面形状が、進行方向Ｘに延びる底辺１ａ及び頂辺１ｂの中心線Ｃに向けて窪んでいる。また、傾斜面１は、その断面形状が突出する突出部１Ａを備える。図２の通り、突出部１Ａは、傾斜面１の一部の領域に設けられており、その領域は、頂辺１ｂ及び中心線Ｃの一部を含む。本実施形態では、突出部１Ａの領域は、平面視において半楕円状に構成される。
【００２１】
練習時において、ゴルフボール１００は進行方向Ｘに転がって傾斜面１の底辺１ａから傾斜面１を上がる。そして、パッティング練習具では、ゴルフボール１００の速度が所定速度より遅いと、ゴルフボール１００は、傾斜面１を上がった後、傾斜面１を下るか、又は、溝部２に嵌り、ゴルフボール１００の速度が所定速度より速いと、ゴルフボール１００は溝部２を越えて落下する。
【００２２】
図２の通り、傾斜面１の底辺１ａの長さＷは、ホール１０１の直径方向Ｄの長さＬ（図４）とほぼ同じである。長さＬは、ホール１００の左右端に配置されたゴルフボール１００ａ，１００ｂの中心間の距離である。そのため、練習時に、使用者は、ゴルフボール１００の中心が傾斜面１の底辺１ａを通るようにゴルフボール１００を打つ。そうすることで、ゴルフボール１００をホール１０１の内側に通す練習ができる。
【００２３】
溝部２は、その平面形状が中心線Ｃで進行方向Ｘに突出するように、円弧状である。そのため、傾斜面１の底面１ｂの左右端から溝部２までの距離が短く、傾斜面１の底面１ｂの中心Ｃから溝部２までの距離が長くなる。
これによって、傾斜面１の底辺１ａの左右端にゴルフボール１００（１００ａ，１００ｂ）の中心が通過する場合に、ゴルフボール１００の速度が所定速度Ｓ１（Ｓ１＜Ｓ３）より遅いと、ゴルフボール１００は、傾斜面１を上がった後、傾斜面１を下るか、又は、溝部２に嵌り、ゴルフボール１００の速度が所定速度Ｓ１より速いと、ゴルフボール１００は、傾斜面１を上がった後、溝部２を越えて落下する。
また、傾斜面１の底辺１ａの中心にゴルフボール１００（１００ｃ）の中心が通過する場合に、ゴルフボール１００の速度が所定速度Ｓ２（Ｓ２＞Ｓ１，Ｓ２＜Ｓ４）より遅いと、ゴルフボール１００は、傾斜面１を上がった後、傾斜面１を下るか、又は、溝部２に嵌り、ゴルフボール１００の速度が所定速度Ｓ２より速いと、ゴルフボール１００は、傾斜面１を上がった後、溝部２を越えて落下する。
【００２４】
ゴルフボール１００が傾斜面１の左右側を上るとき、傾斜面１の窪みによって、ゴルフボール１００は傾斜面１の反対側に向かって下る。また、ゴルフボール１００が傾斜面１の中心線付近を上がるとき、傾斜面１は突出部１Ａによって、ゴルフボール１００は傾斜面１の左右側に向かって下る。これにより、戻ってくるゴルフボール１００は、使用者が打とうとするゴルフボール１００に当たらない。
【００２５】
本発明は、上記実施形態に限定されるものではなく、上記構成を適宜変更することもできる。例えば、以下のように変更して実施することもでき、以下の変更を組み合わせて実施することもできる。
・傾斜部１は、窪んでなくてもよい。傾斜部１は、突出部１Ａを備えなくてもよい。傾斜面１の底辺１ａの長さＷは、長さＬ（図４）とほぼ同じでなくてもよい。
・溝部２は、その平面形状が直線状であってもよい。
・平坦部３は、なくてもよい。
【００２６】
本発明に係るフォークリフトの効果について説明する。
・本発明に係るパッティング練習具では、ゴルフボール１００の速度が所定速度より遅いと、ゴルフボール１００は傾斜面１を上がった後、傾斜面１を下るか、又は、溝部２に嵌り、ゴルフボール１００の速度が所定速度より速いと、ゴルフボール１００は溝部２を越えて落下する。
そのため、使用者は、ゴルフボール１００がホール１０１の外側に弾かれないように、ゴルフボール１００の打つ力（Ｓ１又はＳ２より遅い速度）を練習できる。すわなち、ゴルフボール１００がホール１０１の外側に弾かれない力で打った場合は、ゴルフボール１００は、傾斜面１を上がった後、傾斜面１を下るか、又は、溝部２に嵌り、ゴルフボール１００がホール１０１の外側に弾かれる力（Ｓ１又はＳ２より速い速度）で打った場合は、ゴルフボール１００は溝部２を越えて落下する。
使用者は、ゴルフボール１００を溝部２に嵌るように練習することで、適切なパッティング力を練習ができる。また、ゴルフボール１００を溝部２に嵌めると、使用者は非常に心地よいので、面白みに非常に優れている。
さらに、このパッティング練習具は、平坦面や斜面、ゴルフ練習場のグリーンなど様々な面に設置できる。従って、このパッティング練習具は、実際のゴルフコースのグリーンにおけるパッティングの練習に非常に適している。
【００２７】
・溝部２は、その平面形状が中心線Ｃで進行方向Ｘに突出するように、円弧状である。
そのため、傾斜面１の底面１ｂの左右端から溝部２までの距離が短く、傾斜面１の底面１ｂの中心Ｃから溝部２までの距離が長くなる。これによって、傾斜面１の底辺１ａの左右端にゴルフボール１００（１００ａ，１００ｂ）の中心が通過する場合に、ゴルフボール１００の速度が所定速度Ｓ１より遅いと、ゴルフボール１００は、傾斜面１を上がった後、傾斜面１を下るか、又は、溝部２に嵌り、ゴルフボール１００の速度が所定速度Ｓ１より速いと、ゴルフボール１００は溝部２を越えて落下するようにできる。さらに、傾斜面１の底辺１ａの中心にゴルフボール１００（１００ｃ）の中心が通過する場合に、ゴルフボール１００の速度が所定速度Ｓ２（Ｓ２＞Ｓ１）より遅いと、ゴルフボール１００は、傾斜面１を上がった後、傾斜面１を下るか、又は、溝部２に嵌り、ゴルフボール１００の速度が所定速度Ｓ２より速いと、ゴルフボール１００は溝部２を越えて落下するようにできる。
なお、円弧状とは、完全な円弧形状に限定されない。
【００２８】
・傾斜面１は、その断面形状が、進行方向Ｘに延びる底辺１ａ及び頂辺１ｂの中心線Ｃに向けて窪んでいる。
これによって、ゴルフボール１００が傾斜面１の左右側を上るとき、傾斜面１の窪みによって、ゴルフボール１００は傾斜面１の反対側に向かって下る。従って、戻ってくるゴルフボール１００は、使用者が打とうとするゴルフボール１００に当たらない。
【００２９】
・傾斜面１は、その断面形状が突出する突出部１Ａを備え、突出部１Ａは、傾斜面１の一部の領域に設けられており、この領域は、頂辺１ｂ及び中心線Ｃの一部を含む。
これによって、ゴルフボール１００が傾斜面１の中心線付近を上がるとき、傾斜面１は突出部１Ａによって、ゴルフボール１００は傾斜面１の左右側に向かって下る。従って、戻ってくるゴルフボール１００は、使用者が打とうとするゴルフボール１００に当たらない。
【００３０】
・パッティング練習具は、さらに、溝部２の両端部に連結された一対のスロープ部５，５を備え、スロープ部５，５は、進行方向Ｘに延びると共に、傾斜面１の底辺１ａの高さに向けて傾斜する。
これによって、溝部２に嵌ったゴルフボール１００は、スロープ５を通じて転がって戻る。そのため、ゴルフボール１００を適した力で打った場合、ゴルフボール１００は、傾斜面１を、又は、溝部２及びスロープ部５，５を通じて、使用者に戻る。従って、使用者は、連続して練習することができる。また、ゴルフボール１００を不適切な力で打った場合は、戻ってこないので、面白みに非常に優れている。
【００３１】
・パッティング練習具は、さらに、傾斜面１の頂辺１ｂと溝部２との間に、平坦部３を備える。
これによって、平坦部３の距離を調整でき、ゴルフボール１００の速度に応じて、傾斜面１の頂辺１ｂと溝部２との位置を適切に配置できる。
【符号の説明】
【００３２】
１  傾斜面
１ａ  傾斜面の底辺
１ｂ  傾斜面の頂辺
１Ａ  突出部
Ｃ  中心線
２  溝部
３  平坦部
５  スロープ部
１００  ゴルフボール
Ｓ１，Ｓ２  所定速度
Ｘ  進行方向
Ｙ  直交方向
【図１】
2016168242.tif 000003
【図２】
2016168242.tif 000004
【図３】
2016168242.tif 000005
【図４】
2016168242.tif 000006